(57)【要約】      （修正有）【課題】さまざまな光源または装置に適合できる電力スイッチ制御装置を提供する。【解決手段】電力スイッチ制御装置は、集中処理プロセッサ１１が設けられる集中コントローラ１０と、少なくとも１つのスイッチ部２０と、プロトコル領域と、を備える。スイッチ部２０は、集中処理プロセッサ１１から送られた制御信号を受信し、光源のオンおよびオフを制御する。プロトコル領域は、ファームウェア方式によって、集中コントローラ１０に構築され、少なくとも２種類の制御プロトコルを有する。ファームウェアはネットワークよりダウンロードして便利に操作でき、光源制御プロトコルは必要に応じていつでも導入できる。制御インターフェースの多元化により、従来の手動式プッシュスイッチ、またはリモコン装置および携帯電話による無線制御、あるいはネットワークを介して遠隔制御ができる。【選択図】図２
0003177506.tif 000002
【実用新案登録請求の範囲】
【請求項１】
集中処理プロセッサが設けられる集中コントローラと、
前記集中コントローラの下流に設けられ、前記集中コントローラにより有線または無線方式によって制御される少なくとも１つの被制御装置のスイッチが設けられ、前記集中処理プロセッサから送られた制御信号を受信し、前記被制御装置のオンおよびオフを制御し、前記集中コントローラとスイッチネットワーク制御システムを形成する少なくとも１つのスイッチ部と、
ファームウェア方式によって、前記集中コントローラに構築され、少なくとも２種類の制御プロトコルを有するプロトコル領域と、
を備え、
特定の前記制御プロトコルを、構築されたシステムの操作プロトコルとして、外部より指定できるプロトコル指定機能を有し、
指定された前記制御プロトコルを前記集中コントローラの実行ファイルに設定し、外部からの指令信号を受信し、指定された前記制御プロトコルに基づき、前記スイッチ部に相応な動作を実行させることを特徴とする電力スイッチ制御装置。
【請求項２】
前記集中コントローラは、
設定された指令を実行し、前記スイッチ部を動作させる集中処理プロセッサと、
少なくとも１つの集中処理記憶装置と、
無線接続可能な集中制御受発信機と、
外部の入力装置、出力装置、および、表示装置に接続し、ネットワークによって、当該集中コントローラ内部の応用ソフトの修正または変更するＩ／Ｏユニットと、
を有することを特徴とする請求項１記載の電力スイッチ制御装置。
【請求項３】
前記集中制御受発信機は、
前記ネットワークおよび前記集中処理プロセッサに接続するネットワーク受発信ユニットと、
前記スイッチ部に接続するスイッチ受発信ユニットと、
を有し、
前記集中制御受発信機により、前記集中コントローラは、前記ネットワークから送られた指令を受信可能であることを特徴とする請求項２記載の電力スイッチ制御装置。
【請求項４】
前記集中処理プロセッサは、前記ネットワークに接続し、信号を伝送かつ制御可能であることを特徴とする請求項３記載の電力スイッチ制御装置。
【請求項５】
前記集中制御受発信機は、携帯電話、コンピュータ、モバイルコンピュータ、デスクトップコンピュータ、ノートパソコン、タブレットコンピュータ、ウェブページ、マルチメディア装置、リモコン装置の少なくとも１つと通信可能であることを特徴とする請求項４記載の電力スイッチ制御装置。
【請求項６】
前記集中制御受発信機は、携帯電話およびリモコン装置と通信可能であって、
前記リモコン装置からの信号を受発信するリモコン受発信ユニットと、
前記携帯電話からの信号を受発信する携帯電話受発信ユニットと、
を有することを特徴とする請求項５記載の電力スイッチ制御装置。
【請求項７】
前記集中コントローラは、外部より前記被制御装置のオンおよびオフのタイミング設定を行い、応用ソフトによって、すべての前記被制御装置の動作を制御する前記被制御装置の稼働スケジュール表をさらに有することを特徴とする請求項１記載の電力スイッチ制御装置。
【請求項８】
前記スイッチ部は、
前記集中コントローラの前記制御プロトコルに対応し、関連する前記被制御装置の動作を実行する各前記被制御装置の制御プロトコルが格納されるスイッチ記憶装置と、
前記被制御装置の制御プロトコルを実行するスイッチプロセッサと、
前記集中コントローラからの指令を受信するスイッチ受信機と、
を有することを特徴とする請求項１記載の電力スイッチ制御装置。
【請求項９】
前記スイッチ部は、さらに少なくとも１つのキーを有し、
前記キーの数は、前記スイッチ部に設けられる前記スイッチの数に対応し、
前記キーは、押下されることによって前記被制御装置を制御可能であることを特徴とする請求項８記載の電力スイッチ制御装置。
【請求項１０】
前記スイッチ部は、対応する前記スイッチのオンおよびオフを表示するための少なくとも１つの表示灯を有することを特徴とする請求項８記載の電力スイッチ制御装置。
【請求項１１】
前記被制御装置は、光源であることを特徴とする請求項１記載の電力スイッチ制御装置。
【請求項１２】
前記プロトコル領域の前記制御プロトコルは、外部より書き込み、削除または修正できることを特徴とする請求項１記載の電力スイッチ制御装置。
【考案の詳細な説明】
【技術分野】
【０００１】
本考案は、電力スイッチと光源スイッチの制御に係る電力スイッチ制御装置に関し、特に複数のプロトコルに対応するネットワークの電力スイッチ制御装置に関する。
【背景技術】
【０００２】
従来、すでに多種の光源のリモコンスイッチが存在しており、リモコン装置を利用し、遠隔地よりスイッチに接続された光源の明滅ないし輝度制御ができる。これに関連した多くの特許が出願されている。
【先行技術文献】
【特許文献】
【０００３】
【特許文献１】特開２００２−１５８７８号公報
【考案の概要】
【考案が解決しようとする課題】
【０００４】
しかし、従来技術では、以下の問題が存在している。
まずは、スイッチの設計と光源と電源とが関連性を有するため、異なるメーカーの灯具とスイッチには互換性がない。例えば、工場、ビルディングまたは駐車場など、従来の既設の光源システムまたは電力制御システムには、リモコンスイッチが配置されていない。仮に、従来の光源および電力制御システムをリモコンシステムに改造する場合は、従来のランプボディおよび電力スイッチも合わせて交換する必要があり、膨大な費用がかかる。このため、既設のシステムを交換する意欲が失われる。
【０００５】
さらに、リモコンスイッチを備えた光源または電力制御システムにおいて、リモコン装置のコンポーネントを交換する場合は、メーカーを変えることはできず、従来のメーカーより選択するしかなく、きわめて不便である。一方、現在のスイッチ制御システムは、専属のリモコン装置と組み合わせることしかない。
これに対して、携帯電話は今日すべての人の必須品となっており、電波発信の機能が備えている。よって、携帯電話による制御を実現できれば、応用面が大きく進歩することが間違いない。
そこで、本考案の主な目的は、さまざまな光源または装置に適合できる電力スイッチ制御装置を提供することである。
【課題を解決するための手段】
【０００６】
本考案の電力スイッチ制御装置は、集中処理プロセッサが設けられる集中コントローラと、少なくとも１つのスイッチ部と、プロトコル領域と、を備える。
スイッチ部は、集中コントローラの下流に設けられ、集中コントローラにより有線または無線方式によって制御される少なくとも１つの被制御装置のスイッチが設けられる。スイッチ部は、集中処理プロセッサから送られた制御信号を受信し、被制御装置のオンおよびオフを制御する。集中コントローラとスイッチ部とは、スイッチネットワーク制御システムを形成する。
プロトコル領域は、ファームウェア方式によって、集中コントローラに構築され、少なくとも２種類の制御プロトコルを有する。
電力スイッチ制御装置は、特定の制御プロトコルを、構築されたシステムの操作プロトコルとして、外部より指定できるプロトコル指定機能を有する。
また、電力スイッチ制御装置は、指定された制御プロトコルを集中コントローラの実行ファイルに設定し、外部からの指令信号を受信し、指定された制御プロトコルに基づき、スイッチ部に相応な動作を実行させる。
【０００７】
本考案の集中コントローラとスイッチの光源制御プロトコルは、複数用意されているため、さまざまな光源システムまたは電力スイッチシステムに適合できる。よって、異なるシステムに交換する場合は、スイッチを交換するほか、本考案の集中コントローラを取り付けるだけでよく、コストを抑えることができる。
【０００８】
さらに、ファームウェアはネットワークよりダウンロードして容易に操作できるほか、光源制御および電力制御プロトコルは必要に応じて導入することができ、内蔵された従来のファームウェアの制限を受けない。制御インターフェースの多元化により、従来の手動式プッシュスイッチ、またはリモコン装置および携帯電話による無線制御、あるいはネットワークを介して遠隔制御ができる。
【図面の簡単な説明】
【０００９】
【図１】本考案の一実施形態による電力スイッチ制御装置のシステム構造図である。
【図２】本考案の一実施形態による集中コントローラのブロック図である。
【図３】本考案の一実施形態によるスイッチ部のブロック図である。
【図４】本考案の一実施形態による電力スイッチ制御ネットワークの応用を説明するブロック図である。
【図５】本考案の一実施形態によるスイッチ回路の制御システムを説明するブロック図である。
【考案を実施するための形態】
【００１０】
（一実施形態）
本考案の目的を達成するための技術手段について、図１〜図４に示す実施形態に基づいて、本考案の複数のプロトコルに対応する電力スイッチ制御ネットワークを以下のとおり詳細説明する。以下の実施形態では、本考案の電力スイッチ制御ネットワークである電力スイッチ制御装置として、集中コントローラ１０を例示する。集中コントローラ１０の好ましい応用例は、無線ＬＡＮルータが使用される。さらに、説明を分かりやすくするため、被制御装置として光源を例示するが、本考案の被制御装置は光源に限られず、電子方式の制御を受けられる装置であれば、すべて本考案の請求範囲に含める。
【００１１】
集中コントローラ１０は、有線または無線方式の光源接続スイッチを使用する。なお、集中コントローラ１０は、好ましくは無線ＬＡＮルータを用いる。原則として、集中コントローラ１０は、一般の通信用ルータを使用する。ただし、本考案において、無線方式の受発信機能を追加して、スイッチ制御システムに仕上げられている。集中コントローラは、Ｗｉ−Ｆｉ（登録商標）、Ｚｉｇｂｅｅ（登録商標）、Ｗｉｒｅｌｅｓｓ、ＷＡＮ、ＬＡＮ、３Ｇ、３．５Ｇ、２Ｇなど、さまざまな通信プロトコルに対応できる。本考案の集中コントローラは、例えば無線ＬＡＮルータ、無線ＬＡＮノードコントローラ、無線ＬＡＮアクセスポイント、ＩＰアクセスポイントまたはＵＴＭレコーダのいずれかを選択できる。
【００１２】
少なくとも１つのスイッチ部２０は、１つまたは複数のスイッチ２１が設けられる。各スイッチ２１は、接続された光源電源のオンとオフ制御に使用される。各スイッチ２１は、可変抵抗器を内蔵していて、抵抗値の調整によって、光源２１１の輝度を改変できる。スイッチ部２０は、集中コントローラ１０の制御信号を受信し、光源２１１のオン、オフ、および、光源２１１の輝度を改変することができる。
【００１３】
集中コントローラ１０は、設定された指令文を実行し、下流にあるスイッチ２１の動作を命令する集中処理プロセッサ１１と、少なくとも１つの集中処理記憶装置１２と、各接続すべき装置を無線方式によって接続する集中制御受発信機１３と、を有する。
【００１４】
集中制御受発信機１３は、ネットワーク受発信ユニット１３１と、スイッチ受発信ユニット１３２と、リモコン受発信ユニット１３３と、携帯電話受発信ユニット１３４と、を有する。ネットワーク受発信ユニット１３１は、ネットワークに接続し、本実施形態の集中コントローラ１０におけるネットワークとのデータ伝送を担う。携帯電話、コンピュータ、モバイルコンピュータ、デスクトップコンピュータ、タブレットコンピュータ、ウェブページ、マルチメディア装置、リモコン装置などの装置は、ネットワークを介して本実施形態の集中コントローラ１０に接続することができる。スイッチ受発信ユニット１３２は、下流にあるスイッチ部２０に接続する。リモコン受発信ユニット１３３は、リモコン装置２００からの信号を受発信する。携帯電話受発信ユニット１３４は、携帯電話１００の信号を受発信する。
【００１５】
リモコン受発信ユニット１３３および携帯電話受発信ユニット１３４である無線受発信ユニットは、同一回路または別回路であってもよい。
【００１６】
無線受発信ユニットのほか、本実施形態では、ネットワーク３００およびコンピュータ４００に接続するため、必要に応じて有線方式の受発信ユニットを配置してもよい。
【００１７】
集中制御受発信機１３を適用することによって、集中コントローラ１０は、リモコン装置２００、コンピュータ４００、携帯電話１００またはネットワーク３００からの指令を受信することができる。
【００１８】
Ｉ／Ｏユニット１３５は、図示しない外部の出力装置、入力装置、および、表示装置に集中コントローラ１０を接続することができる。使用者は、Ｉ／Ｏユニット１３５またはネットワークを介して、集中コントローラ１０内部の応用ソフトを修正または変更することができる。
【００１９】
引き続き、図５を参照する。集中コントローラ１０における集中処理プロセッサ１１および集中処理記憶装置１２にて定義されるスイッチネットワーク制御システムは、ファームウェア方式によって、集中処理記憶装置１２に構築され、少なくとも２種類の制御プロトコルとしての光源制御プロトコル３０を含むプロトコル領域４０を有する。外部の設定により、特定の光源制御プロトコル３０を、構築されたシステムの操作プロトコルに指定することができる。指定された光源制御プロトコル３０を集中処理プロセッサ１１の実行ファイルに設定し、外部の指令信号を受信し、指令のプロトコル設定に基づき、下流のスイッチ部２０に相応な動作を実行させるプロトコルの指定機能をさらに有する。
【００２０】
もともと、プロトコル領域４０に格納されていない光源制御プロトコルは、外部より書き込み、プロトコル領域４０に格納することができる。通常、各メーカーの灯具は自社の光源制御プロトコル３０が指定されている。本実施形態では、多種の光源制御プロトコル３０を導入できるため、異なる灯具システムをそれぞれ異なる光源制御プロトコル３０の作業環境に設定することができる。導入方式について、工場出荷時に内蔵方式で導入するか、または必要に応じて、適用後使用者が導入してもよい。
【００２１】
スイッチネットワーク制御システムである電力スイッチ制御装置は、さらに、各光源２１１のオンとオフおよび輝度などのタイミングの設定値を外部より設定できる光源稼働スケジュール表４１を有する。本実施形態では、集中コントローラ１０の図示しないタイマを光源制御の時間計数装置として、光源２１１の動作をすべてソフトウェアによって制御できる。コンピュータに入力することで、すべての光源２１１のオンとオフ並び明滅の時間を制御することができる。従来に使用していた機械式タイマとは異なり、機構に破損がない限り、例えば２０２０年１２月３１日の２４時に自動的に１分間光源２１１をオフする、といったように、タイミング制御の機能は無限にできる。
【００２２】
スイッチ部２０は、スイッチ記憶装置２２と、スイッチプロセッサ２３と、を有する。スイッチ記憶装置２２は、さまざまな光源制御プロトコル３０を内部に格納している。これらの光源制御プロトコル３０は、集中コントローラ１０の光源制御プロトコル３０に対応し、光源制御プロトコル３０の指令に基づき、関わる光源２１１に相応な動作を実行する。スイッチプロセッサ２３は、スイッチ記憶装置２２に格納されているさまざまな光源制御プロトコル３０を実行し、相応な動作を発生する。
【００２３】
スイッチプロセッサ２３で実行されるプロトコル３０は、集中処理プロセッサ１１の光源制御プロトコル３０に応答するものである。
【００２４】
少なくとも１つのキー２４の数は、スイッチ部２０のスイッチ２１の数に対応する。キー２４を押下することによって、対応する光源２１１のオンとオフを制御できる。各キー２４は、スイッチプロセッサ２３に接続され、スイッチプロセッサ２３がキー２４の押下信号を受信したとき、当該信号はスイッチ２１に伝送され、スイッチ２１が相応な動作を実行する。
【００２５】
また、スイッチ部２０は、集中コントローラ１０からの指令を受信するスイッチ受信機２５と、スイッチプロセッサ２３および対応のスイッチ電源に接続され、対応するスイッチ２１のオンおよびオフを表示する少なくとも１つの表示灯２６と、を有する。表示灯２６は、ＬＥＤ灯が好ましい。
【００２６】
さらに、本実施形態の集中コントローラ１０は、携帯電話１００の入力を受信できるため、各種の設定は、ｉＰａｄ（登録商標）やｉＰｈｏｎｅ（登録商標を含む）携帯電話から直接設定することができ、相当な利便性が提供されている。
【００２７】
本実施形態では、光源制御プロトコル３０のほか、集中コントローラ１０およびスイッチ部２０に、光源以外の制御プロトコルを構築し、スイッチ部２０を介して接続された光源２１１以外の装置を制御することができる。
【００２８】
本実施形態の長所は、集中コントローラ１０およびスイッチ２１の制御プロトコル３０は、複数を用意されているため、異なる光源２１１または電器システムに適応できる。よって、異なるシステムに交換する場合は、スイッチ２１を交換するほか、本実施形態の集中コントローラ１０を取り付けるだけでよく、コストを抑えることができる。
【００２９】
さらに、ファームウェアは、ネットワークよりダウンロードし、容易に操作できるほか、光源制御と電力制御プロトコル３０は、必要に応じて導入することができ、内蔵された従来のファームウェアの制限を受けない。制御インターフェースの多元化により、従来の手動式プッシュスイッチ、またはリモコン装置および携帯電話による無線制御、あるいはネットワークを介して遠隔制御ができる。各光源２１１に対して、オン、オフおよび明滅制御の稼働スケジュール表４１など、コンピュータ４００または携帯電話１００による制御プランニングができる。この点は公知技術が及ばないところである。
【００３０】
以上の説明は本考案の好ましい実施例であり、本考案の実施範疇に制限を加えるものではない。よって、本考案の技術的思想と均等な効果を奏する変化または修飾は、すべて本考案の技術的範囲に含まれるものとする。
【符号の説明】
【００３１】
１０・・・・集中コントローラ
１１・・・・集中処理プロセッサ
１２・・・・集中処理記憶装置
１３・・・・集中制御受発信機
１３２・・・スイッチ受発信ユニット
１３３・・・リモコン受発信ユニット
１３４・・・携帯電話受発信ユニット
１３５・・・Ｉ／Ｏユニット
２０・・・・スイッチ部
２１・・・・スイッチ
２１１・・・光源（被制御装置）
２２・・・・スイッチ記憶装置
２３・・・・スイッチプロセッサ
２４・・・・キー
２５・・・・スイッチ受信機
２６・・・・表示灯
３０・・・・光源制御プロトコル
４０・・・・プロトコル領域
４１・・・・光源稼働スケジュール表
１００・・・携帯電話
２００・・・リモコン装置
３００・・・ネットワーク
４００・・・コンピュータ
【図１】
0003177506.tif 000003
【図２】
0003177506.tif 000004
【図３】
0003177506.tif 000005
【図４】
0003177506.tif 000006
【図５】
0003177506.tif 000007
【手続補正書】
【提出日】平成24年6月1日(2012.6.1)
【手続補正１】
【補正対象書類名】実用新案登録請求の範囲
【補正対象項目名】請求項１
【補正方法】変更
【補正の内容】
【請求項１】
設定された指令を実行する集中処理プロセッサ、及び、少なくとも２種類の制御プロトコルを有するプロトコル領域がファームウェア方式によって構築された集中処理記憶装置を有する集中コントローラと、
前記集中コントローラの下流に設けられ、前記集中コントローラにより有線または無線方式によって制御される少なくとも１つの被制御装置のスイッチが設けられ、前記集中処理プロセッサから送られた制御信号を受信し、前記被制御装置のオンおよびオフを制御し、前記集中コントローラとスイッチネットワーク制御システムを形成する少なくとも１つのスイッチ部と、
を備えることを特徴とする電力スイッチ制御装置。
【手続補正２】
【補正対象書類名】実用新案登録請求の範囲
【補正対象項目名】請求項２
【補正方法】変更
【補正の内容】
【請求項２】
前記集中コントローラは、
無線接続可能な集中制御受発信機と、
外部の入力装置、出力装置、および、表示装置に接続し、ネットワークによって、当該集中コントローラ内部の応用ソフトの修正または変更するＩ／Ｏユニットと、
をさらに有することを特徴とする請求項１記載の電力スイッチ制御装置。
【手続補正３】
【補正対象書類名】実用新案登録請求の範囲
【補正対象項目名】請求項１２
【補正方法】変更
【補正の内容】
【請求項１２】
前記集中処理記憶装置は、外部より書き込み、削除または修正できる制御プロトコルを有する前記プロトコル領域が構築されていることを特徴とする請求項１記載の電力スイッチ制御装置。
【手続補正４】
【補正対象書類名】明細書
【補正対象項目名】０００６
【補正方法】変更
【補正の内容】
【０００６】
本考案の電力スイッチ制御装置は、集中処理プロセッサおよび集中処理記憶装置を有する集中コントローラと、少なくとも１つのスイッチ部と、を備える。
集中コントローラの集中プロセッサは、指定された処理を実行する。集中コントローラの集中処理記憶装置は、少なくとも２種類の制御プロトコルを有するプロトコル領域がファームウェア方式によって構築されている。
スイッチ部は、集中コントローラの下流に設けられ、集中コントローラにより有線または無線方式によって制御される少なくとも１つの被制御装置のスイッチが設けられる。スイッチ部は、集中処理プロセッサから送られた制御信号を受信し、被制御装置のオンおよびオフを制御する。集中コントローラとスイッチ部とは、スイッチネットワーク制御システムを形成する。
電力スイッチ制御装置は、特定の制御プロトコルを、構築されたシステムの操作プロトコルとして、外部より指定できるプロトコル指定機能を有する。
また、電力スイッチ制御装置は、指定された制御プロトコルを集中コントローラの実行ファイルに設定し、外部からの指令信号を受信し、指定された制御プロトコルに基づき、スイッチ部に相応な動作を実行させる。